(57)【要約】【課題】実釣時において、釣竿操作性が低下することのないリール脚固定装置を装着した釣竿を提供する。【解決手段】本発明に係る釣竿は、魚釣用リールが装着可能なリール脚載置部１１と、リール脚載置部１１に載置されたリール脚を固定する一対の固定フード１２ｂ及び移動フード１２ａと、を備えたリール脚固定装置１０を有する。そして、固定フード１２ｂの後方に親指が載置可能な親指載置部材２１を設け、親指載置部材２１の前端縁によって、固定フード１２ｂの後方の外周面との間で段差部２０を設けたことを特徴とする。【選択図】図３
2009268358.tif 000002
【特許請求の範囲】
【請求項１】
魚釣用リールが装着可能なリール脚載置部と、前記リール脚載置部に載置されたリール脚を固定する一対の固定フード及び移動フードと、を備えたリール脚固定装置を有する釣竿において、
前記固定フードの後方に親指が載置可能な親指載置部材を設け、前記親指載置部材の前端縁によって、前記固定フード後方の外周面との間で段差部を設けたことを特徴とする釣竿。
【請求項２】
前記親指載置部材の表面には、凹凸が形成されていることを特徴とする請求項２に記載の釣竿。
【請求項３】
魚釣用リールが装着可能なリール脚載置部と、前記リール脚載置部に載置されたリール脚を固定する一対の固定フード及び移動フードと、を備えたリール脚固定装置を有する釣竿において、
前記固定フードの後方に、円周方向に沿って凹溝を形成することで前記固定フード後方の外周面との間で段差部を設けたことを特徴とする釣竿。
【請求項４】
前記段差部は、側面領域よりも上面側の方が、段差による高さが高く形成されていることを特徴とする請求項１から３のいずれか１項に記載の釣竿。
【発明の詳細な説明】
【技術分野】
【０００１】
本発明は釣竿に関し、詳細には、両軸受型リールを装着した際の釣竿操作が行い易いリール脚固定装置を備えた釣竿に関する。
【背景技術】
【０００２】
従来、釣竿の基端側には、両軸受型リールのようなリールが装着可能なリール脚固定装置が設けられており、例えば、特許文献１には、元竿となる釣竿本体（元竿管）の外周面に嵌入される筒状のリール脚固定装置が開示されている。前記リール脚固定装置は、一対のフード部を備えており、一方のフード部（後方側に設けられる固定フード）にリール脚を固定し、この状態で他方のフード部（前方側に設けられる移動フード）を軸方向に移動させることで、両者の間でリールを装着、固定するようにしている。
【０００３】
また、前記元竿管には、リール脚固定装置の後方側に、握持保持性を向上させるようにグリップ部が取着されている。通常、このようなグリップ部は、握り心地が良いように、コルクや発泡性の樹脂等によって構成されている。
【特許文献１】特開２００２−３３０６７８号
【発明の開示】
【発明が解決しようとする課題】
【０００４】
上記したような従来の釣竿は、実釣時において、装着されている両軸受型リールの釣糸の巻き取り操作を行うと、釣糸と共に水分を汲み上げるような状態となり、そのように釣糸の巻き取りによって汲み上げられた水分は、スプールの後方側に向けて飛散し、リール本体後方側のグリップ部分の表面に伝わることがある。
【０００５】
このため、リール本体の後方側のグリップ部分を握持保持していると、表面に伝わる水分によって手が滑ることがあり、釣竿操作性が低下する、という問題がある。
【０００６】
本発明は、上記した問題に着目して成されたものであり、実釣時において、釣竿操作性が低下することのないリール脚固定装置を装着した釣竿を提供することを目的とする。
【課題を解決するための手段】
【０００７】
上記した目的を達成するために、本発明に係る釣竿は、魚釣用リールが装着可能なリール脚載置部と、前記リール脚載置部に載置されたリール脚を固定する一対の固定フード及び移動フードと、を備えたリール脚固定装置を有しており、前記固定フードの後方に親指が載置可能な親指載置部材を設け、前記親指載置部材の前端縁によって、前記固定フード後方の外周面との間で段差部を設けたことを特徴とする。
【０００８】
上記した構成の釣竿では、実釣時において、装着されている両軸受型リールの釣糸の巻き取り操作を行うと、釣糸と共に汲み上げられた水分がリール本体の後方に飛散し、表面に沿って伝わるものの、外周面に設けられている段差部によってせき止められるため、水分の後方側への流れを抑制することが可能となる。このため、釣竿の表面を握持、保持している部分に水分が伝わり難くなり、手や指が滑り難くなって釣竿の操作性が低下することが防止される。
【０００９】
また、上記した目的を達成するために、本発明に係る釣竿は、魚釣用リールが装着可能なリール脚載置部と、前記リール脚載置部に載置されたリール脚を固定する一対の固定フード及び移動フードと、を備えたリール脚固定装置を有しており、前記固定フードの後方に、円周方向に沿って凹溝を形成することで前記固定フード後方の外周面との間で段差部を設けたことを特徴とする。
【００１０】
上記のように、段差部については、外周面から突出するのではなく、凹溝によって構成することが可能であり、このような構成においても、リール本体の後方に飛散して表面に沿って伝わる水分は凹溝内に流れ込むため、釣竿の表面を握持、保持している部分に水分が伝わり難くなり、手や指が滑り難くなって釣竿の操作性が低下することが防止される。
【発明の効果】
【００１１】
本発明によれば、実釣時において、飛散する水分によって握持、保持性が低下することが抑止され、釣竿操作性が良好なリール脚固定装置を装着した釣竿が得られる。
【発明を実施するための最良の形態】
【００１２】
以下、本発明に係る釣竿の実施形態について、図１から図３を参照して具体的に説明する。これらの図において、図１は、釣竿の全体構成を示す図、図２は、使用状態を説明する平面図、そして、図３は、リール脚固定装置部分を示す図であり、（ａ）は、リールを装着した状態を示す側面図、（ｂ）は、平面図、（ｃ）は、水分が流れる状態を示す側面図、そして、（ｄ）は、図（ｃ）のＡ−Ａ線に沿った断面図である。
【００１３】
本実施形態に係る釣竿１は、魚釣用リール（両軸受型リール）５０を着脱可能にする筒状のリール脚固定装置１０を装着した元竿３と、元竿３に対して継合される先竿４とを備えた２本継ぎとして構成されている。この場合、両竿部材の継合は、振り出し式に構成されていても良いし、並継式に構成されていても良い。また、各竿部材の継合本数は任意であり、竿部材の構造についても、管状体に構成されていても良いし、中実状に構成されていても良い。更に、竿部材を構成する素材については、例えば、強化繊維に合成樹脂を含浸したプリプレグシート等を用いることが可能である。
【００１４】
前記竿部材（先竿４）には、複数の釣糸ガイド（外ガイド）５が設けられており、前記リール脚固定装置１０に装着された両軸受型リール５０から繰出される釣糸Ｓを案内するようになっている。また、元竿３には、必要に応じて、前記リール脚固定装置１０の前後に、グリップ（握り部）３０，３１が設けられている。このようなグリップは、例えば、前記リール脚固定装置１０の本体１４の硬度と比較して柔軟性のある部材（ウレタン樹脂、熱可塑性エラストマー、コルク、ウレタン系の発泡性部材等）によって構成され、元竿３の外周に被着される。
【００１５】
前記リール脚固定装置１０は、両軸受型リール５０の脚部が載置されるリール脚載置部１１と、その前後に対向して配置され、リール脚を受け入れる開口を有する一対のフード部１２ａ，１２ｂとを有する筒状の本体１４を備えている。この本体１４は、例えば、ナイロン、ＡＢＳ等の硬質合成樹脂部材や、アルミ、ＳＵＳ、チタン等の金属等によって一体形成されており、元竿３の外周面に接着剤を塗布した後、嵌入することで、元竿３に一体的に固定される。
【００１６】
また、一対のフード部の内、穂先側のフード部１２ａは移動フードとして構成され、後端側のフード部１２ｂは固定フードとして構成されている（以下、移動フード１２ａ、固定フード１２ｂと称する）。このようなリール脚固定装置１０は、公知のように、本体１４の外周面に刻設された雄ネジ部に対して回転操作部１６を回転操作することで、移動フード１２ａを固定フード１２ｂに対して軸方向に接近／離間させ、両軸受型リール５０を締め付け固定したり、取り外しできるよう構成されている。
【００１７】
そして、前記固定フード１２ｂの後方には、図２に示すように、握持、保持される外周面との間で段差を有する段差部２０が設けられている。ここで「段差部」とは、固定フード１２ｂの開口位置から後方側において、釣人が握持、保持する領域（リール脚固定装置の本体１４の外周面、或いは、グリップ３１の表面）に対して、表面高さが異なる部分として定義され、図３（ｃ）の矢印で示すように、表面に沿って後方側に流れる水分をせき止めてその流れを下方に向ける等の機能を発揮するものであれば良い。
【００１８】
本実施形態では、図３に示すように、リール脚固定装置の本体１４とは別体で、親指が載置可能な親指載置部材２１を本体１４に嵌入し、その前端縁によって段差部２０が構成されている。すなわち、このような親指載置部材２１は、例えば、両軸受型リール５０のクラッチプレート５１を親指で押下げ操作した後、そのまま親指を一連の動作によって載置したり、或いは、女性や子供のように手が小さい場合、リール本体をパーミングすることなく元竿３を握る際に親指を載置する部分として機能する。なお、固定フード１２ｂの後方に設けられる親指載置部材２１は、本体１４とは別部材（例えばゴム等）のものをインサート成型することで本体１４と一体形成したものであっても良いし、本体１４と共に一体形成したものであっても良い。
【００１９】
具体的に、親指載置部材２１の構成について説明すると、親指載置部材２１は、リール脚固定装置１０の本体１４に外嵌される環状部材として構成されている。このため、本体１４の環状部材が装着される領域には、その環状部材の形状と同形状となる凹所が予め形成されており、そのような凹所に対して環状となった親指載置部材２１を嵌合、被着することで配設される。この場合、親指載置部材２１は、リール脚固定装置の本体１４の表面よりも摩擦力の大きい素材、例えば、ゴム、エラストマー、ＥＶＡ、コルク等によって構成することで、載置した親指の滑りを防止することが可能となる。
【００２０】
すなわち、親指載置部材２１を摩擦力の大きい素材で構成し、これを環状にして被着することで、リール本体をパーミングしない状態で釣竿の固定フード１２ｂの後方側を握持、保持した際、親指載置部材２１上に載置した親指の位置が安定するようになり、握持、保持性が向上すると共に、釣竿が軸回りに回転することが抑制されて、釣糸が外ガイド５に絡み付くことが防止される。
【００２１】
そして、前記親指載置部材２１は、環状で所定の肉厚を有していることから、その前端縁において、本体１４との間で段差部２０が形成されるようになり、上記した親指載置部材２１に、更に、段差部２０としての機能を持たせている。
【００２２】
この段差部２０については、親指載置部材２１の前方側の前端縁の形状によって特定される。図に示した構成では、実際に親指が載置される表面領域に、指先形状に沿うように、前方側に向けて部分的に突出する突出部２１ａが形成されていることから、段差部２０については、側面から見た際、上面側が軸長方向に対して傾斜し、側面側から下面側にかけて軸長方向に対して直交するような形状となっている。
【００２３】
このように、親指載置部材２１の表面領域に、前方に向けて突出部２１ａを形成することで、親指の載置領域が広くなって親指を安定して載置することが可能になると共に、その肉厚による段差部２０によって、水分の後方側への流れを抑制することが可能となる。すなわち、釣糸を巻き取る際、釣糸Ｓと共に汲み上げられた水分は、矢印で示すように、表面に沿って釣竿の下方側に向けることが可能となり、これにより、釣竿の表面を握持、保持している部分に水分が流れ込むことが抑制され、手や指が滑り難くなり、釣竿の操作性が低下することを防止できる。
【００２４】
特に、本実施形態では、親指載置部材２１の表面に水分が流れ込むことが防止できるため、親指の滑りが効果的に防止できると共に、グリップ３１の表面に対しても、水分の流れを防止することができ、握り込んだ際の滑りを効果的に抑制することが可能となる。
【００２５】
なお、上記した段差部２０については、側面領域よりも上面側の方が、段差による高さを高く形成しておくことが好ましい。具体的に、上記した構成では、図３（ｄ）に示す側面領域Ｐにおける段差部２０の段差の高さよりも、上面側領域Ｐ１の段差部２０の段差の高さ（具体的には、前記突出部２１ａ部分の段差の高さ）が高くなるように形成しておくことが好ましい。
【００２６】
通常、リールのスプール部分から飛散する水分は、上面側で受ける量が側面側で受ける量よりも多いため、上面側の段差部２０の段差の高さを高くしておくことで、水分が表面後方側に沿って流れることを効果的に抑制することが可能となる。
【００２７】
図４は、上記した実施形態の変形例を示す図であり、（ａ）は、リール脚固定装置の固定フード部分を示した平面図、（ｂ）は、側面図である。
【００２８】
この変形例では、前記親指載置部材２１の固定フードの後方側の表面、具体的には、前記突出部２１ａの表面に凹凸２３を形成している。この凹凸２３は、水分が付着しても載置した親指を滑り難くするものであり、図に示すように、突出部２１ａの表面に対して周方向に沿って形成される複数の凸状によって構成されている。
【００２９】
このように周方向に沿う複数の凹凸２３を形成しておくことで、上記したように、載置した親指を滑り難くすることができると共に、付着した水分が周方向に沿って流れることで軸長方向には流れ難くなり、より効果的に、グリップ側に水分が流れることを抑制することが可能となる。
【００３０】
図５は、上記した実施形態の第２の変形例を示す図であり、（ａ）は、リール脚固定装置の固定フード部分を示した平面図、（ｂ）は、側面図である。
【００３１】
この変形例では、前記親指載置部材２１の固定フードの後方側の表面に形成される凹凸２３を、ランダムに点在する突起によって構成したものである。このように、表面に形成される凹凸については、表面に付着した水分が、軸長方向に直線的に流れないように構成されたものであれば良く、その形状や配置箇所等については、適宜、変形することが可能である。
【００３２】
図６は、本発明の第２の実施形態を示す図であり、（ａ）は、リール脚固定装置の固定フード部分を示した平面図、（ｂ）は、側面図である。
【００３３】
上記した実施形態では、段差部２０は、別体としてリール脚固定装置に取着される環状の部材（親指載置部材２１）の前端縁の肉厚部分によって構成したが、段差部については表面に対して盛り上がるのではなく、円周方向に沿って形成される凹溝によって構成しても良い。
【００３４】
本実施形態の段差部は、固定フード１２ｂとグリップ３１との間に、略円周状に形成された凹溝２０Ａによって構成されており、この凹溝２０Ａは、リール脚固定装置１０を形成する際、その固定フード１２ｂの後方側に一体形成されている。
【００３５】
このように、固定フード１２ｂの後方側に凹溝２０Ａを形成することで、釣糸によって汲み上げられた水分は矢印方向に流れるようになり、上記した実施形態と同様、表面に沿って後方側へ流れることを防止することが可能となる。また、リール脚固定装置１０の本体１４と一体形成することができ、容易に段差部を形成することが可能となる。
【００３６】
なお、上記した凹溝については、その幅や深さ、及び形状について適宜変形することが可能である。例えば、軸長方向に沿って複数箇所形成することで、より効果的に水分の後方側への流れを抑制することが可能となる。また、全周に亘って形成されるのではなく、上面から側面に至る領域に形成されていても良い。
【００３７】
以上、本発明の実施形態について説明したが、本発明は、上述した実施形態に限定されることは無く種々変形することが可能である。
【００３８】
例えば、上記した段差部２０，２０Ａについては、固定フードの後方側において、周方向３６０度に亘って形成するのではなく、例えば、上面から側面の領域に形成されたものであっても良い。また、段差部の構成については、別体（親指載置部材）によって凸部を形成するのではなく、リール脚固定装置の本体１４に一体形成される凸部によって構成しても良い。
【図面の簡単な説明】
【００３９】
【図１】本発明に係る釣竿の実施形態を示す図。
【図２】使用状態を説明する平面図。
【図３】リール脚固定装置部分を示す図であり、（ａ）は、リールを装着した状態を示す側面図、（ｂ）は、平面図、（ｃ）は、水分が流れる状態を示す側面図、そして、（ｄ）は、図（ｃ）のＡ−Ａ線に沿った断面図。
【図４】図１から図３に示す実施形態の変形例を示す図であり、（ａ）は、リール脚固定装置の固定フード部分を示した平面図、（ｂ）は、側面図。
【図５】図１から図３に示す実施形態の第２の変形例を示す図であり、（ａ）は、リール脚固定装置の固定フード部分を示した平面図、（ｂ）は、側面図。
【図６】本発明の第２の実施形態を示す図であり、（ａ）は、リール脚固定装置の固定フード部分を示した平面図、（ｂ）は、側面図。
【符号の説明】
【００４０】
１  釣竿
３  元竿
４  先竿
１０  リール脚固定装置
１１  リール脚載置部
１２ａ  移動フード
１２ｂ  固定フード
１４  本体
２０，２０Ａ  段差部
２１  親指載置部材
５０  魚釣用リール（両軸受型リール）
【図１】
2009268358.tif 000003
【図２】
2009268358.tif 000004
【図３】
2009268358.tif 000005
【図４】
2009268358.tif 000006
【図５】
2009268358.tif 000007
【図６】
2009268358.tif 000008